(57)【要約】【課題】遊技場に設置された電源設備の電源電圧が不安定でも、遊技が頻繁に中断されなくなる遊技機の提供。【解決手段】電源装置13の内部温度を検出する温度センサ31と、この温度センサ31の検出した温度及びその単位時間当たりの温度変化に基づいて、電源装置13の内部回路が熱損傷するまでの時間を推定するパラメータ生成装置30とを設け、入力電圧が過電圧となった電源装置13が熱損傷に至るまでの残り時間を推定する。すると、前述の過電圧が瞬間的な電圧上昇である場合、あるいは、過電圧の程度が比較的小さい場合には、推定される残り時間が充分長くなるので、このような場合、電源装置13への電力を遮断せず、遊技を継続させ、推定される残り時間がなくなったら、入力電圧低減装置50で電源装置13の入力電圧を低減し、これにより、遊技の中断をなくす。【選択図】    図３
2012135413.tif 000002
【特許請求の範囲】
【請求項１】
遊技の進行のために稼働する遊技用装置と、前記遊技用装置に電力を供給する電源装置とを備えた遊技機であって、
前記電源装置に含まれる電気部品は、当該電源装置の定格入力電圧を超えた電圧が印加されても耐えうる耐圧を有するものとされ、
前記電源装置の内部における所定位置に設置されるとともに、当該所定位置の温度に応じた電気信号である温度信号を出力する温度センサと、
前記電源装置の内部回路が熱で損傷するまでの時間を推定するためのパラメータとなるパラメータ信号を、前記温度センサが検出した温度及びその単位時間当たりの温度変化に基づいて生成するパラメータ生成手段とが設けられていることを特徴とする遊技機。
【請求項２】
前記電源装置の内部回路が熱で損傷するまでの時間をカウントダウン表示する損傷時間表示手段を備え、
前記温度センサは、温度に応じて直流電気抵抗値が変化する温度抵抗素子とされ、
前記パラメータ生成手段は、ＣＲ発振器を含んで構成されるとともに、パルス信号を前記パラメータ信号として出力するものとされ、且つ、前記ＣＲ発信器の時定数を構成する静電容量素子及び直流抵抗素子のうちの直流抵抗素子として、前記温度センサが接続され、当該温度センサの測定温度の上昇により、単位時間当たりに出力される前記パラメータ信号の数が増加するように形成され、
前記損傷時間表示手段は、所定の数値からカウントダウンを行う残り時間カウンタを有し、且つ、前記パラメータ生成手段から前記パラメータ信号を受信するとともに、前記パラメータ生成手段から前記パラメータ信号を受信する毎に、前記残り時間カウンタの計数値を一つずつ減らしていくように形成され、内部回路が熱で損傷するまでの時間として、前記残り時間カウンタの計数値を表示するようになっていることを特徴とする請求項１記載の遊技機。
【請求項３】
前記電源装置の入力電圧を低減させるための入力電圧低減手段を備え、
前記損傷時間表示手段は、前記残り時間カウンタの計数値が「０」になると、前記入力電圧低減手段に入力電圧を低減させるために、当該入力電圧低減手段へ電圧低減指令信号を出力するように形成され、
前記入力電圧低減手段は、電圧低減指令信号を受信すると、前記電源装置の入力電圧を低減させるように形成されていることを特徴とする請求項２記載の遊技機。
【発明の詳細な説明】
【技術分野】
【０００１】
本発明は、遊技の進行のために稼働する遊技用装置と、前記遊技用装置に電力を供給する電源装置とを備えた遊技機に関する。
【背景技術】
【０００２】
従来より、遊技者に娯楽を提供する遊技機として、外周面に複数種類の図柄が記された複数の回転リールを回転させた後、回転状態の回転リールを遊技者に停止させて図柄を揃えさせる遊技を行うスロットマシンが利用されている。
このようなスロットマシンには、前述の回転リールを含んで構成されるリールユニット、入賞の際にメダルを払い出す払出装置としてのホッパユニットと、リールユニットやホッパユニット等の遊技用装置を制御する制御装置と、この制御装置や遊技用装置に電力を供給する電源装置とが設けられている。
【０００３】
このような遊技機の電源装置としては、入力された２４Ｖの交流電力を直流に変換して出力する定電圧電源装置が一般的に利用されている。
更に詳しく説明すると、一般的な遊技機の電源装置は、遊技場の電源設備に設けられている変圧器で、２００Ｖ又は１００Ｖを２４Ｖに降圧した交流電力が入力されるようになっている。
そして、電源装置は、入力された２４Ｖの交流電力の整流や降圧を行う複数種類の電力変換回路を備え、これらの電力変換装置で、入力した２４Ｖの交流電力を、遊技機に必要な２４Ｖ、１８Ｖ、１２Ｖの直流電力にそれぞれ変換して出力するものとなっている。
このような電源装置の入力部分には、ヒューズが接続されている。このヒューズは、入力側に規格よりも高い過電圧が印加される事故、あるいは、出力側の配線が短絡する事故等が生じた際に、溶断して電流の導通を遮断し、これにより、電源装置や、電源装置の負荷である遊技用装置を保護するものとなっている。
【０００４】
ところで、遊技機が設置されている遊技場では、２４Ｖの交流電力を導く電線のほか、照明機器や空調機器に電力を供給するために、１００Ｖの交流電力を導く電線も配線されている。
このため、遊技場においては、交流１００Ｖの電線を交流２４Ｖの電線と誤認して、遊技機の電源装置に接続してしまう事故が起きるおそれがある。
このよう事故が起きると、電源装置そのものや、遊技機に設けられている遊技用装置に過大な電圧が印加され、絶縁耐圧が不足する部分が損傷し、また、過電圧印加に伴う過電流で、電源装置、あるいは、電源装置の負荷である遊技用装置が熱損傷してしまう。
そこで、電源装置の入力部分には、ヒューズが接続されているのが一般的である。これにより、入力側に規格よりも高い過電圧が印加されたり、あるいは、出力側の配線が短絡する事故等が生じたりすると、前述のヒューズが溶断して電流の導通を遮断し、これにより、電源装置や、電源装置の負荷である遊技用装置を保護するようになっている。
【０００５】
しかしながら、ヒューズで電源装置の保護を行うと、ヒューズが溶断する度に、ヒューズを交換する作業が発生し、このヒューズ交換作業が煩雑となる場合がある。
そこで、ヒューズ交換作業をなくために、過電圧が印加されるとサイリスタで電流を遮断する電源装置が提案されている。
具体的に説明すると、前述の電源装置には、入力端において過電圧を検出する過電圧検出回路と、この過電圧検出回路が過電圧を検出すると、ブザーを鳴動させてその旨を報知する過電圧報知器と、入力端に過電圧が印加されると、サイリスタで回路を遮断するゲート回路とが設けられ、入力端に過電圧が印加されると、ゲート回路のサイリスタが回路を遮断し、これにより、電源装置や電源装置の負荷である遊技用装置を保護するので、ヒューズそのものを不要にでき、また、ヒューズの交換作業も不要にできる（例えば、特許文献１参照）。
【先行技術文献】
【特許文献】
【０００６】
【特許文献１】特許第３２５５４６３号公報
【発明の開示】
【発明が解決しようとする課題】
【０００７】
前述のような電源装置を備えた遊技機では、遊技場に設置された電源設備が万全ではなく、遊技機の電源装置に入力される電力の電圧が不安定となり、例えば、定格入力電圧が交流２４Ｖの電源装置に、３０Ｖを超える交流電圧が入力されることがあり、遊技者が遊技を行っているときに、遊技機の電源装置に入力される電圧が定格入力電圧を頻繁に超えると、その度に、ゲート回路のサイリスタが回路を遮断し、これにより、遊技が頻繁に中断され、遊技の興趣性が著しく損なわれる、という問題がある。
【０００８】
そこで、各請求項にそれぞれ記載された各発明は、上記した従来の技術の有する問題点に鑑みてなされたものであり、その目的とするところは、遊技場に設置された電源設備の電源電圧が不安定でも、遊技が頻繁に中断されなくなる遊技機を提供することである。
【課題を解決するための手段】
【０００９】
各請求項にそれぞれ記載された各発明は、前述の目的を達成するためになされたものである。以下に、各発明の特徴点を、図面に示した発明の実施の形態を用いて説明する。
なお、符号は、発明の実施の形態において用いた符号を示し、本発明の技術的範囲を限定するものではない。
【００１０】
（請求項１）
（特徴点）
請求項１記載の発明は、次の点を特徴とする。
すなわち、請求項１に記載された発明は、遊技の進行のために稼働する遊技用装置(10, 12)と、前記遊技用装置(10, 12)に電力を供給する電源装置(13)とを備えた遊技機(１)であって、前記電源装置(13)に含まれる電気部品は、当該電源装置(13)の定格入力電圧を超えた電圧が印加されても耐えうる耐圧を有するものとされ、前記電源装置(13)の内部における所定位置に設置されるとともに、当該所定位置の温度に応じた電気信号である温度信号を出力する温度センサ(31)と、前記電源装置(13)の内部回路が熱で損傷するまでの時間を推定するためのパラメータとなるパラメータ信号を、前記温度センサ(31)が検出した温度及びその単位時間当たりの温度変化に基づいて生成するパラメータ生成手段(30,30A)とが設けられていることを特徴とする。
【００１１】
（請求項２）
（特徴点）
請求項２記載の発明は、前述した請求項１に記載の発明において、次の特徴点を備えているものである。
すなわち、請求項２に記載された発明は、前記電源装置(13)の内部回路が熱で損傷するまでの時間をカウントダウン表示する損傷時間表示手段(40,40A)を備え、前記温度センサ(31)は、温度に応じて直流電気抵抗値が変化する温度抵抗素子とされ、前記パラメータ生成手段(30,30A)は、ＣＲ発振器を含んで構成されるとともに、パルス信号を前記パラメータ信号として出力するものとされ、且つ、前記ＣＲ発信器の時定数を構成する静電容量素子及び直流抵抗素子のうちの直流抵抗素子として、前記温度センサ(31)が接続され、当該温度センサ(31)の測定温度の上昇により、単位時間当たりに出力される前記パラメータ信号の数が増加するように形成され、前記損傷時間表示手段(40,40A)は、所定の数値からカウントダウンを行う残り時間カウンタ(42)を有し、且つ、前記パラメータ生成手段(30,30A)から前記パラメータ信号を受信するとともに、前記パラメータ生成手段(30,30A)から前記パラメータ信号を受信する毎に、前記残り時間カウンタ(42)の計数値を一つずつ減らしていくように形成され、内部回路が熱で損傷するまでの時間として、前記残り時間カウンタ(42)の計数値を表示するようになっていることを特徴とする。
ここで、ＣＲ発信器としては、静電容量素子及び直流抵抗素子で構成された時定数回路を通じて増幅器の出力信号を入力側へ帰還させた形式の発振器や、回路を構成する静電容量素子及び直流抵抗素子で発振周波数が決まる無安定マルチバイブレータ等を採用することができる。
【００１２】
（請求項３）
（特徴点）
請求項３記載の発明は、前述した請求項２に記載の発明において、次の特徴点を備えているものである。
すなわち、請求項３に記載された発明は、前記電源装置(13)の入力電圧を低減させるための入力電圧低減手段(50)を備え、前記損傷時間表示手段(40,40A)は、前記残り時間カウンタ(42)の計数値が「０」になると、前記入力電圧低減手段(50)に入力電圧を低減させるために、当該入力電圧低減手段(50)へ電圧低減指令信号を出力するように形成され、前記入力電圧低減手段(50)は、電圧低減指令信号を受信すると、前記電源装置(13)の入力電圧を低減させるように形成されていることを特徴とする。
【発明の効果】
【００１３】
（請求項１の効果）
以上のように構成されている本発明は、以下に記載されるような効果を奏する。
すなわち、請求項１記載の発明によれば、電源装置に含まれる電気部品を、当該電源装置の定格入力電圧を超えた電圧が印加されても耐えうる耐圧を有するものとしたので、電源装置に入力される電圧が過電圧となっても、電源装置が絶縁耐圧不足で損傷することがない。なお、電源装置として定電圧電源を採用すれば、電源装置に入力される電圧が過電圧となっても、出力電圧が著しく高くなることがなく、電源装置の負荷が過電圧で損傷することはない。
また、電源装置の内部における所定位置に設置されるとともに、当該所定位置の温度に応じた電気信号である温度信号を出力する温度センサと、電源装置の内部回路が熱で損傷するまでの時間を推定するためのパラメータとなるパラメータ信号を、温度センサが検出した温度及びその単位時間当たりの温度変化に基づいて生成するパラメータ生成手段とを設けたので、電源装置に入力される電圧が過電圧であることに起因して、電源装置の内部に流れる電流が増大し、電源装置の内部温度が上昇すると、この上昇していく温度が温度センサによって検出される。すると、温度センサによって検出された温度と、その変化に基づいて、パラメータ生成手段が、電源装置の内部回路が熱で損傷するまでの時間を推定するためのパラメータ信号を生成し、このパラメータ信号に基づいて判定を行えば、電源装置に入力された過電圧が瞬間的な電圧上昇であるか否か、あるいは、電源装置に入力された過電圧と定格入力電圧との差が比較的小さいか否かを判定することができる。
ここで、遊技機の電源装置に入力される電圧が定格入力電圧を頻繁に超えても、過電圧が瞬間的な電圧上昇である場合や、電源装置に入力された過電圧と定格入力電圧との差が比較的小さい場合には、電源装置が損傷しないので、回路が遮断して過電流の流通を防止する必要がない。
従って、パラメータ生成手段が生成したパラメータを参照して、電源装置に入力された過電圧が瞬間的な電圧上昇であるか否か、あるいは、電源装置に入力された過電圧と定格入力電圧との差が比較的小さいか否かを判定し、その結果に基づいて、電源装置の回路を遮断して過電流の流通を防止すれば、電源装置の回路が頻繁に遮断されることがなくなり、これにより、遊技場に設置された電源設備の電源電圧が不安定でも、遊技が頻繁に中断されることが防止され、以上により前記目的が達成される。
【００１４】
（請求項２の効果）
請求項２記載の発明によれば、上記した請求項１記載の発明の効果に加え、次のような効果を奏する。
すなわち、請求項２記載の発明によれば、温度センサとして、温度に応じて直流電気抵抗値が変化する温度抵抗素子を採用し、さらに、パラメータ生成手段として、ＣＲ発振器を含んで構成されるとともに、パルス信号をパラメータ信号として出力するものとされ、且つ、ＣＲ発信器の時定数を構成する静電容量素子及び直流抵抗素子のうちの直流抵抗素子として、温度センサが接続され、当該温度センサの測定温度の上昇により、単位時間当たりに出力されるパラメータ信号の数が増加するように形成されたものを採用したので、電源装置の回路に過電流が流され、これにより、単位時間当たりに発生する熱量が多ければ多いほど、パルス信号であるパラメータ信号の出力数が増える。
そして、電源装置の内部回路が熱で損傷するまでの時間をカウントダウン表示する損傷時間表示手段を設け、この損傷時間表示手段に、所定の数値からカウントダウンを行う残り時間カウンタを設け、且つ、パラメータ生成手段からパラメータ信号を受信する毎に、残り時間カウンタの計数値を一つずつ減らしていくように形成し、内部回路が熱で損傷するまでの時間を、残り時間カウンタの計数値で表示するようにしたので、過電圧の程度が著しく、過電圧に起因する過電流も大きく、単位時間当たりに発生する熱量も多い場合には、発生熱量が多い分だけ、残り時間カウンタの計数値も早く減るようになり、これにより、損傷時間表示手段は、電源装置の内部回路が熱で損傷するまでの時間として、より正確な値を表示するようになり、この損傷時間表示手段の表示時間に基づいて、電源装置の回路を遮断して過電流の流通を防止すれば、無闇に電源装置の回路を遮断して過電流の流通を防止することがなくなるうえ、電源装置やその負荷である遊技用装置が熱で損傷することも確実に防止され、これにより、遊技場に設置された電源設備の電源電圧が不安定でも、遊技を頻繁に中断されることが防止されるうえ、電源装置及び遊技用装置の損傷も確実に防止されるようになる。
【００１５】
（請求項３の効果）
請求項３記載の発明によれば、上記した請求項３記載の発明の効果に加え、次のような効果を奏する。
すなわち、請求項３記載の発明によれば、電源装置の入力電圧を低減させるための入力電圧低減手段を設け、且つ、損傷時間表示手段として、残り時間カウンタの計数値が「０」になると、入力電圧低減手段に入力電圧を低減させるために、当該入力電圧低減手段へ電圧低減指令信号を出力するように形成されたものを採用し、電圧低減指令信号の受信を契機に入力電圧低減手段が電源装置の入力電圧を低減させるようにしたので、残り時間カウンタの計数値が「０」なった時点で、電源装置及び遊技用装置がまだ損傷しないように、残り時間カウンタの計数値の初期値を設定しておき、この計数値が「０」なった時点で、入力電圧低減手段を作動させて電源装置の入力電圧を低減させれば、電源装置及び遊技用装置が熱損傷する前に、電源装置の回路に適正な大きさの電流が流通するようになり、これにより、過電流の流通による電源装置やその負荷である遊技用装置の熱損傷も確実に防止され、この点からも、遊技場に設置された電源設備の電源電圧が不安定で、過電圧が電源装置に印加されても、遊技機の停止が防止され、遊技の中断もなくなり、且つ、電源装置及び遊技用装置の損傷も確実に防止することができる。
【図面の簡単な説明】
【００１６】
【図１】本発明の第１実施形態に係る遊技機であるスロットマシンを示す正面図である。
【図２】前記実施形態に係るスロットマシンの内部を示す正面図である。
【図３】前記実施形態に係る電源装置及びその周辺装置の概略構成を示すブロック図である。
【図４】前記実施形態に係るパラメータ生成装置を示す回路結線図である。
【図５】前記実施形態に係る損傷時間表示装置を示すブロック図である。
【図６】前記実施形態に係る入力電圧低減装置を示す回路結線図である。
【図７】本発明の第２実施形態に係るパラメータ生成装置を示す回路結線図である。
【図８】前記実施形態に係る損傷時間表示装置を示すブロック図である。
【発明を実施するための形態】
【００１７】
以下に、本発明を実施するための形態である実施形態について、図面を参照しながら説明する。
［第１実施形態］
（スロットマシン１の概略構成）
本発明の第１実施形態に係る遊技機は、図１に示すように、三個の回転リール11の各々に記された複数種類の図柄が所定の組合せとなるように、回転している回転リール11を停止させる遊技を行うスロットマシン１となっている。
【００１８】
このスロットマシン１は、遊技媒体として金属製のメダルを採用したものであり、メダルの投入によって遊技を開始するように形成されている。
このようなスロットマシン１には、図１の如く、当該スロットマシン１の各種装置を収納するとともに、正面形状が長方形となった筐体２が備えられている。
筐体２は、前面全体が開口された箱状の部材である。そして、筐体２の前面開口は、当該筐体２に回動可能に取り付けられた前扉３で塞がれるようになっている。なお、前扉３は、閉じられると、自動的に施錠されるようになっている。
【００１９】
前扉３は、その前面をほぼ二分する上部パネル部４及び下部パネル部５を備えたものとなっている。そして、下部パネル部５の下方には、入賞時に払い出されるメダルを貯留する受皿部6Aが一体成形された受皿ユニット６が設けられている。また、上部パネル部４と下部パネル部５との間には、遊技に係る操作を行うための操作卓７が遊技者側に突出するように形成されている。
ここで、上部パネル部４及び下部パネル部５は、意匠的に優れた外観を確保するために、合成樹脂製の化粧板が表面に張り付けられたものとなっている。
【００２０】
（上部パネル部４）
上部パネル部４には、図１中、操作卓７の上方且つ幅方向の中央部分において長方形状に形成された表示窓4Aが設けられている。
ここで、筐体２内部に設けられた三個の回転リール11の各々は、その外周面に複数種類の図柄に記されている。そして、各回転リール11の図柄は、筐体２の外部から表示窓4Aを通して目視可能となっている。なお、回転リール11の内部には、回転リール11を内側から照射する図示しないリール照明装置が設けられている。
【００２１】
上部パネル部４の上端縁部分には、正面形状が左右に細長い逆台形状に形成された演出用照明装置4Bが設けられている。この演出用照明装置4Bは、上部パネル部４の上端縁部分のほぼ中央に配置され、その両端部は、演出用照明装置4Bの角隅部分まで達することなく、その手前の位置で途切れたものとなっている。
また、上部パネル部４の上側における両角近傍には、正面形状が湾曲した帯状に形成されるとともに、漢数字の「八」を描く一対の演出用照明装置4Cが設けられている。これらの演出用照明装置4Cの各々は、その上端部が演出用照明装置4Bの端部近傍に配置されるとともに、その下端側の部分が上部パネル部４の側縁へ向かって斜め下方に延びたものとなっている。
さらに、上部パネル部４の両方の側縁には、その間に表示窓4Aを挟むようにして配置された一対の演出用照明装置4Dが設けられている。
これらの演出用照明装置4B〜4Dの各々は、赤色のレンズの内部に配置された高輝度発光ダイオード等の光源を備え、遊技の進行に応じて、その光源の点灯又は点滅により、遊技における視覚的な演出効果を高めるものである。
【００２２】
表示窓4A及び演出用照明装置4Bの間には、遊技の演出用画像を表示する液晶表示装置4Eが設けられている。この液晶表示装置4Eは、動画を含む様々な画像を、遊技の進行に応じて表示するものである。
液晶表示装置4Eの下側における両角近傍には、遊技に係る効果音を発生するスピーカを備えた音声出力部4Fがそれぞれ設けられている。
また、表示窓4A及び操作卓７の間には、７セグメントのＬＥＤを三組備え、これらのＬＥＤで３桁のアラビア数字を表示するように形成されたＬＥＤ表示装置41が設けられている。このＬＥＤ表示装置41は、後述する電源装置13の内部回路が熱で損傷するまでの時間をカウントダウン表示するためのものである。
【００２３】
（操作卓７）
操作卓７は、遊技における操作に必要な各種のスイッチ類が配置されたものである。
すなわち、操作卓７における図１中右端の部分には、前扉３の施錠を解除するための鍵が挿入される鍵穴7Aが設けられている。この鍵穴7Aの左斜め上方には、メダルを投入するためのメダル投入口7Bが開口されたメダル投入部7Cが設けられている。
メダル投入口7Bの左斜め下方には、三個の回転リール11のそれぞれを停止させる際に操作される三個のストップボタン7Dが設けられている。これら三個のストップボタン7Dのうち、左端に配置されているストップボタン7Dの左斜め上方には、一度の操作で最大枚数のメダルを賭けることができるマックスベットボタン7Eが設けられている。
また、左端のストップボタン7Dの左方であって、マックスベットボタン7Eの左斜め下方の位置には、三個の回転リール11を一斉に回転させる際に操作されるスタートレバー7Fが設けられている。このスタートレバー7Fの左斜め上方には、１回の操作で留されている１枚のメダルを賭けることができる、換言すると、メダルを１枚ずつ賭ける際に操作されるベットボタン7Gが設けられている。
さらに、ベットボタン7Gの左斜め下方には、精算時に貯留されているメダルを払い出させる精算ボタン7Hが設けられている。
【００２４】
（下部パネル部５及び受皿ユニット６）
下部パネル部５には、スロットマシン１のモデルタイプを表す象徴するキャラクター等が描かれたパネル5Aが設けられている。
受皿ユニット６には、メダルを貯留する前述の受皿部6Aに加えて、入賞時に受皿部6Aへ向かって払い出されるメダルを排出させるメダル払出口6Bと、遊技に係る効果音を発生するスピーカを備えた音声出力部6Cとが設けられている。
【００２５】
（筐体２内蔵の遊技用装置）
次いで、筐体２内に設けられている遊技用装置等の装置について簡単に説明する。
筐体２の内部には、図２に示すように、三個の回転リール11が回転自在に支持するとともに、これらの回転リール11のそれぞれを駆動する図示しないステッピングモータを備えたリールユニット10、内部に多数のメダルを貯留させる容器部12A を備えるとともに受皿部6Aに向かってメダルを排出するホッパユニット12、遊技用装置の遊技動作やホッパユニット12の動作を制御するマイクロコンピュータからなるＣＰＵを備えた主制御基板20A 、これらの装置に電力を供給する電源装置13、並びに、後述するパラメータ生成装置30及び入力電圧低減装置50を形成する装置基板を収納する基板箱15等が設けられている。
【００２６】
また、前扉３の裏側には、図２の如く、メダル投入口7Bに投入されたメダルを選別するメダルセレクタ14、遊技の演出を行うための演出用装置（演出用照明装置4B〜4D及び液晶表示装置4E等）を制御するマイクロコンピュータからなるＣＰＵを備えた副制御基板20B 、並びに、当該前扉３の表側に設けられているＬＥＤ表示装置41に時間を表示させるための損傷時間表示装置40等が設けられている。
【００２７】
（スロットマシン１の電力供給系）
次に、スロットマシン１の外部から電力を受けて、内部の各装置へ電力を供給する電源装置13、及び、その周辺装置を含む電力供給系について説明する。
スロットマシン１3は、外部から供給される交流電力を内部で整流し、整流した直流電力で内部の装置を駆動させるものとなっている。
【００２８】
このようなスロットマシン１には、その電力供給に係る装置として、外部の交流電力を整流する電源装置13と、この電源装置13の内部回路が熱で損傷するまでの時間を推定するためのパラメータ生成装置30と、熱損傷までの時間を推定して表示する損傷時間表示装置40と、電源装置13の入力電圧を低減させる入力電圧低減装置50とが設けられている。
【００２９】
電源装置13は、外部から供給される交流２４Ｖの電力を整流するとともに、遊技の進行のために稼働する遊技用装置であるリールユニット10等に整流した直流電力を供給するものである。
この電源装置13は、負荷への電流値が規定範囲内で変動しても、負荷に印加する電圧が殆ど変動しない定電圧装置となっている。
ここで、電源装置13を形成する電気部品は、当該電源装置13の定格入力電圧を超えた電圧、好ましくは、２倍以上の電圧が印加されても耐えうる耐圧を有している。具体的には、電源装置13を形成する電気部品は、定格入力電圧である２４Ｖを超えた４０Ｖ以上の電圧が印加されても耐えうる耐圧を有するものとなっている。
【００３０】
このような電源装置13には、図３に示すように、交流電力を直流電力に整流する整流部13A と、電圧が一定となるように出力電圧に整える電圧調節部13B と、電源装置13の内部温度を検出するための温度センサ31とが設けられている。
このうち、温度センサ31は、電源装置13の内部における所定位置に設置されるとともに、当該所定位置の温度に応じた電気信号である温度信号を出力するものである。
【００３１】
ここで、温度センサ31は、負の温度係数を有するサーミスタである。具体的には、温度センサ31は、温度が上昇すると直流電気抵抗が低下するサーミスタとなっている。
なお、電源装置13における温度センサ31の設置位置は、電源装置13に含まれる電機部品のうち、最も低い温度で損傷してしまうものの近傍に設定するのが好ましい。
また、電源装置13における温度センサ31の設置個数は、後述するパラメータ生成装置30が必要な個数となっている。
そして、温度センサ31の出力端子は、パラメータ生成装置30に接続され、温度センサ31の温度信号がパラメータ生成装置30に受信されるようになっている。
【００３２】
パラメータ生成装置30は、電源装置13の内部回路が熱で損傷するまでの時間を推定するためのパラメータとなるパラメータ信号を、温度センサ31が検出した温度及びその単位時間当たりの温度変化に基づいて生成するパラメータ生成手段である。
具体的には、パラメータ生成装置30は、図４の如く、静電容量素子及び直流抵抗素子で構成された時定数回路を有するＣＲ発振器の一種である無安定マルチバイブレータを含んで構成されたものである。
このようなパラメータ生成装置30は、温度センサを二つ接続する必要がある。このため、電源装置13には、前述の温度センサ31として、同じ温度特性を有する二つの温度センサ31A, 31Bが同じ位置に配置されている。
【００３３】
ここで、パラメータ生成装置30には、図４に示すように、エミッタがグランドにそれぞれ接続されたトランジスタ32A, 32Bと、一端が電源電圧端子Ｖccにそれぞれ接続されるとともに、他端が対応するトランジスタ32A, 32Bのコレクタにそれぞれ接続された直流抵抗素子33A, 33Bと、一端が対応するトランジスタ32A, 32Bのコレクタにそれぞれ接続されるとともに、他端が相手方のトランジスタ32B, 32Aのコレクタにそれぞれ接続された静電容量素子34A, 34Bとが設けられている。
【００３４】
この際、トランジスタ32A, 32B、直流抵抗素子33A, 33B、及び、静電容量素子34A, 34Bの各ペアは、互いに同一の特性を有するものとなっている。
そして、温度センサ31A, 31Bは、一端が電源電圧端子Ｖccにそれぞれ接続されるとともに、他端が対応する静電容量素子34A, 34Bを通じて対応するトランジスタ32A, 32Bのコレクタにそれぞれ接続されている。
このようなパラメータ生成装置30は、トランジスタ32B のコレクタに接続された出力端子35A 、及び、トランジスタ32B のエミッタに接続された出力端子35B の間に電圧パルス信号が生じ、この電圧パルス信号として生成されたパラメータ信号を出力端子35A, 32Bから出力するように形成されている。
【００３５】
ここで、パラメータ生成装置30は、その時定数を構成する静電容量素子及び直流抵抗素子のうちの直流抵抗素子として、温度センサ31A ,31Bが接続されている。換言すると、静電容量素子34A, 34B及び温度センサ31A ,31Bがパラメータ生成装置30の時定数を構成する回路素子となっている。
このため、温度センサ31A, 31Bの直流電気抵抗値をＲ、静電容量素子34A, 34Bの静電容量値をＣとすると、パラメータ生成装置30の出力端子35A, 35Bから出力されるパルス信号の発信周波数ｆは、０．７２１／ＲＣで表すことができる。
以上により、パラメータ生成装置30は、温度センサ31が負の温度係数を有することから、温度センサの測定温度が上昇すると、単位時間当たりに出力されるパラメータ信号の数が増加するように形成されている。
【００３６】
損傷時間表示装置40は、電源装置13の内部回路が熱損傷するまでの時間をカウントダウン表示する損傷時間表示手段である。
この損傷時間表示装置40には、図５に示すように、パラメータ生成装置30が出力するパラメータ信号をカウントダウンする残り時間カウンタ装置42と、この残り時間カウンタ装置42のカウントダウンの進行を止めるカウントアップ信号を出力する常温パルス発生装置43と、熱損傷するまでの時間を表示するために、前扉３の前面に設けられた前述のＬＥＤ表示装置41とが設けられている。
【００３７】
残り時間カウンタ装置42は、パラメータ生成装置30からのパラメータ信号を受信するプラス信号ポートと、常温パルス発生装置43からのカウントアップ信号を受信するマイナス信号ポートとを備え、マイナス信号ポートに信号を一つ受信する毎に、計数値から「１」を減じる一方、プラス信号ポートに信号を一つ受信する毎に、計数値に「１」を加えるものである。
換言すると、残り時間カウンタ装置42は、所定の数値からカウントダウンを行う残り時間カウンタである。具体的には、残り時間カウンタ装置42は、残り時間のカウントダウン開始値に相当する計数値の初期値からカウントダウンを開始し、パラメータ信号を一つ受信する毎に、計数値から「１」を減じ、カウントアップ信号を一つ受信する毎に、計数値に「１」を加えるように形成されている。
【００３８】
ここで、常温パルス発生装置43は、常温とみなせる温度領域で残り時間カウンタ装置42がカウントダウンを開始しないように、パルス信号であるカウントアップ信号を所定の周期で出力するものである。
具体的に説明すると、常温パルス発生装置43は、常温とみなせる温度領域の最高温度、例えば、温度センサ31A, 31Bの測定している温度が摂氏５０度の際に、残り時間カウンタ装置42からパラメータ信号を出力する周期と同じ周期でカウントアップ信号を出力するものである。
【００３９】
以上において、残り時間カウンタ装置42は、温度センサ31A, 31Bの測定温度が摂氏５０度を超えていない状態では、カウントアップ信号の周期がパラメータ信号の周期よりも短いので、計数値はカウントアップされるが、計数値が初期値の状態で、カウントアップ信号をいくら受信しても、計数値は同一の値とされるように形成されている。
一方、残り時間カウンタ装置42は、温度センサ31A, 31Bの測定温度が摂氏５０度を超えた状態では、パラメータ信号の周期がカウントアップ信号の周期よりも短くなるので、カウントダウンを開始し、温度センサ31A, 31Bの測定温度が摂氏５０度からさらに上昇すると、上昇した分だけ、計数値から「１」を減じる間隔が短くなり、カウントダウンのスピードが速くなるように形成されている。
【００４０】
また、残り時間カウンタ装置42は、計数値から「０」になると、入力電圧低減装置50に入力電圧を低減させるために、当該入力電圧低減装置50へ電圧低減指令信号を出力するように形成されている。なお、電圧低減指令信号は、有電圧接点信号となっている。
なお、残り時間カウンタ装置42は、一旦、計数値から「０」になると、図示しないリセットスイッチが操作されて、計数値が初期値に戻されるまで、電圧低減指令信号を出力している状態を維持するようになっている。
【００４１】
ＬＥＤ表示装置41は、内部回路が熱で損傷するまでの時間として、残り時間カウンタ装置42の計数値を表示するものである。なお、ＬＥＤ表示装置41は、残り時間カウンタ装置42の計数値をそのまま表示するだけでなく、遊技者がメダルを投入すると、計数値を時間に変換して表示するように形成してもよい。
また、残り時間カウンタ装置42は、計数値が初期値から予め設定された表示開始値まで下降するまで、ＬＥＤの消灯状態を維持し、計数値の表示を行わず、計数値が表示開始値まで下降したら、ＬＥＤを点灯して計数値の表示を開始するようになっている。なお、残り時間カウンタ装置42は、一旦表示開始値まで下降した計数値が表示開始値を上回る値まで上昇すると、ＬＥＤを消灯して計数値の表示を止めるようになっている。
【００４２】
入力電圧低減装置50は、前述したように電源装置13の入力電圧を低減させるための入力電圧低減手段となっている。
入力電圧低減装置50には、図６に示すように、電源装置13の入力電圧を低減させる電圧降下デバイス51と、内部回路の切り換えを行うパワーリレー52とが設けられている。
電圧降下デバイス51は、耐熱性に優れたセメント直流抵抗器53と、このセメント直流抵抗器53を冷却するための電動ファン54と、交流電力を入力させる入力端子55A, 55Bとを備えたものである。
このうち、パワーリレー52は、残り時間カウンタ装置42からの電圧低減指令信号を受信すると、接続が切り換わるｃ接点56を備えている。
【００４３】
このような入力電圧低減装置50は、電圧低減指令信号を受信していない状態では、パワーリレー52のｃ接点56が、交流電力を入力させるホット側の入力端子55A を電源装置13の入力端子に直接接続するようになっている。
一方、入力電圧低減装置50は、電圧低減指令信号を受信している状態では、パワーリレー52のｃ接点56が切り換わり、電圧降下デバイス51を介して、ホット側の入力端子55A を電源装置13の入力端子に接続し、これにより、電源装置13の入力電圧を低減させるようになっている。
【００４４】
このような本実施形態では、電源装置13に入力される電圧が過電圧となり、電源装置13の内部に流れる電流が増大し、電源装置13の内部温度が上昇し、温度センサ31A, 31Bの測定温度が常温領域を超え、例えば、摂氏５０度よりもさらに上昇すると、常温パルス発生装置43の信号出力数よりも、パラメータ生成装置30の信号出力数が勝り、残り時間カウンタ装置42がカウントダウンを開始する。この際、温度センサ31A, 31Bの測定温度が高ければ高いほど、残り時間カウンタ装置42は、カウントダウンのスピードが速くなるように形成されている。
これにより、電源装置13に入力される電圧の過電圧の程度に応じたスピードで、残り時間カウンタ装置42がカウントダウンを行い、入力電圧が規定の電圧より高い分だけより早く入力電圧低減装置50が作動して、入力電圧が定下されるようになっている。
【００４５】
前述のような本実施形態によれば、次のような効果が得られる。
すなわち、電源装置13に含まれる電気部品を、当該電源装置13の定格入力電圧を超えた電圧、例えば、２倍以上の電圧が印加されても耐えうる耐圧を有するものとしたので、電源装置13に入力される電圧が過電圧となっても、電源装置13が絶縁耐圧不足で損傷することがない。また、電源装置13は定電圧電源であるので、電源装置13に入力される電圧が過電圧となっても、出力電圧が著しく高くなることがなく、電源装置13の負荷が絶縁耐圧不足で損傷することはない。
【００４６】
また、電源装置13の内部における所定位置に設置されるとともに、当該所定位置の温度に応じた電気信号である温度信号を出力する温度センサ31A, 31Bと、電源装置13の内部回路が熱で損傷するまでの時間を推定するためのパラメータとなるパラメータ信号を、温度センサ31A, 31Bが検出した温度、及び、その単位時間当たりの温度変化に基づいて生成するパラメータ生成装置30とを設けたので、電源装置13に入力される電圧が過電圧であることに起因して、電源装置13の内部に流れる電流が増大し、電源装置13の内部温度が上昇すると、この上昇していく温度が温度センサ31A, 31Bによって検出される。すると、温度センサ31A, 31Bによって検出された温度と、その変化に基づいて、パラメータ生成装置30が、電源装置13の内部回路が熱で損傷するまでの時間を推定するためのパラメータ信号を生成し、このパラメータ信号に基づいて判定を行えば、電源装置13に入力された過電圧が瞬間的な電圧上昇であるか否か、あるいは、電源装置13に入力された過電圧と定格入力電圧との差が比較的小さいか否かを判定することができる。
【００４７】
ここで、スロットマシン１の電源装置13に入力される電圧が定格入力電圧を頻繁に超えても、過電圧が瞬間的な電圧上昇である場合や、電源装置13に入力された過電圧と定格入力電圧との差が比較的小さい場合には、電源装置13が損傷しないので、内部回路の一部を遮断させる等により過電流の流通を防止する必要がない。
従って、パラメータ生成装置30が生成したパラメータ信号に基づいて、電源装置13に入力された過電圧が瞬間的な電圧上昇であるか否か、あるいは、電源装置13に入力された過電圧と定格入力電圧との差が比較的小さいか否かを判定し、その結果に基づいて、電源装置13の入力電圧を低減するよにしたので、電源装置13の回路が頻繁に遮断されることがなくなり、これにより、遊技場に設置された電源設備の電源電圧が不安定でも、遊技が頻繁に中断されることを未然に防止することができる。
【００４８】
また、温度に応じて直流電気抵抗値が変化するサーミスタからなる温度センサ31A, 31Bを採用し、さらに、パラメータ生成装置30をＣＲ発振器の一種である無安定マルチバイブレータを含んで構成するとともに、パルス信号をパラメータ信号として出力するようにし、且つ、ＣＲ発信器の時定数を構成する静電容量素子及び直流抵抗素子のうちの直流抵抗素子として温度センサ31A, 31Bを接続し、当該温度センサ31A, 31Bの測定温度の上昇により、単位時間当たりに出力されるパラメータ信号の数が増加するように、パラメータ生成装置30を形成したので、電源装置13の回路に過電流が流されたことにより、電源装置13の内部に熱が発生した際に、単位時間当たりに発生する熱量が多ければ多いほど、パラメータ生成装置30から出力されるパルス信号であるパラメータ信号は、出力数が増大するようになる。
【００４９】
そして、電源装置13の内部回路が熱で損傷するまでの時間をカウントダウン表示する損傷時間表示装置40を設け、この損傷時間表示装置40に、所定の数値からカウントダウンを行う残り時間カウンタ装置42を設け、且つ、パラメータ生成装置30からパラメータ信号を受信する毎に、残り時間カウンタ装置42に計数値を一つずつ減らしていくように形成し、内部回路が熱で損傷するまでの時間を、残り時間カウンタ装置42の計数値で表示するようにしたので、過電圧の程度が著しく、過電圧に起因する過電流も大きく、単位時間当たりに発生する熱量も多い場合には、発生熱量に応じて残り時間カウンタの計数値も早く減るようになり、損傷時間表示装置40は、電源装置13の内部回路が熱で損傷するまでの時間として、より正確な値を表示するようになり、この損傷時間表示装置40の計数値に基づいて、電源装置13の入力電圧を低減すれば、電源装置13やその負荷であるリールユニット10等が熱で損傷することを確実に防止でき、これにより、遊技場に設置された電源設備の電源電圧が不安定でも、遊技を頻繁に中断されることを防止できるうえ、電源装置13及びリールユニット10等の遊技用装置の損傷を確実に防止することができる。
【００５０】
さらに、電源装置13の入力電圧を低減させるための入力電圧低減装置50を設け、且つ、残り時間カウンタ装置42の計数値が「０」になると、損傷時間表示装置40が入力電圧低減装置50へ電圧低減指令信号を出力し、この電圧低減指令信号を受信した入力電圧低減装置50が電源装置13の入力電圧を低減させるようにしたので、残り時間カウンタ装置42の計数値が「０」なった時点でも、電源装置13、及び、リールユニット10等の遊技用装置が損傷しないように、残り時間カウンタ装置42の計数値の初期値を設定し、計数値が「０」なった時点で、入力電圧低減装置50を作動させて電源装置13の入力電圧を低減させ、これにより、電源装置13の回路に適正な大きさの電流を流通させれば、過電流の流通による電源装置13やその負荷であるリールユニット10等の熱損傷も確実に防止でき、この点からも、遊技場に設置された電源設備の電源電圧が不安定なために、過電圧が電源装置13に印加されても、スロットマシン１の停止が防止され、遊技を中断させることなく、電源装置13及びリールユニット10等の遊技用装置の損傷を確実に防止することができる。
【００５１】
［第２実施形態］
次に、本発明の第２実施形態について説明する。なお、以下の説明においては、既に説明した部位に同じ符号を付し、その説明を省略又は簡略にする。
図７及び図８には、本発明の第２実施形態に係るパラメータ生成装置30A 及び損傷時間表示装置40A がそれぞれ示されている。
ここで、本第２実施形態は、前記第１実施形態における温度センサ31A, 31Bの測定温度が高くなるほどパルス信号としてのパラメータ信号の出力数を増やしていくパラメータ生成装置30を、数値を示すデジタル信号をパラメータ信号として採用するとともに、温度センサ31の測定温度が高くなるほどパラメータ信号の示す数値を大きくするパラメータ生成装置30A としたものである。
【００５２】
すなわち、パラメータ生成装置30A は、温度センサ31の温度信号に基づいて温度変化量を算出するとともに、算出した温度変化量を示すパラメータ信号を出力するものとなっている。なお、パラメータ生成装置30A は、接続される温度センサ31の数量が１個で足りるようになっている。
【００５３】
このようなパラメータ生成装置30A には、図７に示すように、温度センサ31が測定した温度測定値を所定周期毎にサンプリングする温度測定値採取部36と、温度測定値採取部36が今回採取した温度測定値を保持する今回測定値保持部37と、温度測定値採取部36が前回採取した温度測定値を保持する前回測定値保持部38と、今回測定値保持部37及び前回測定値保持部38の温度測定値に基づいて測定した温度の変化量を算出する温度変化量算出部39とが設けられている。
【００５４】
このうち、温度変化量算出部39は、今回測定値保持部37の温度測定値から前回測定値保持部38の温度測定値を減じた差の値に所定の計数を乗じて、単位時間当たりにおける温度の変化量を算出するものである。そして、温度変化量算出部39は、算出した変化量を示す変化量信号を、後述の損傷時間表示装置40A へ送出するようになっている。
ここで、温度変化量算出部39の出力する変化量信号は、今回測定値保持部37の温度測定値と前回測定値保持部38の温度測定値との差が大きい程、大きな絶対値を有するとともに、今回測定値保持部37の温度測定値が前回測定値保持部38の温度測定値よりも大きい場合には正の値を示し、逆の場合には負の値を示すものである。
【００５５】
損傷時間表示装置40A は、パラメータ生成装置30A に設けられた温度変化量算出部39から受信した変化量信号に基づいて、電源装置13の内部回路が熱損傷するまでの時間を算出して表示するものである。
この損傷時間表示装置40A には、図８に示すように、温度変化量算出部39から受信した変化量信号に基づいて、その時点における残り時間を算出する残り時間算出装置44と、第１実施形態で説明したＬＥＤ表示装置41とが設けられている。
【００５６】
このうち、残り時間算出装置44は、予め残り時間の初期値が内部に設定され、温度変化量算出部39から最初の変化量信号を受信すると、この初期値から最初の変化量信号の示す値を減じようになっている。その後、残り時間算出装置44は、温度変化量算出部39から変化量信号を受信する度に、その時点での残り時間から受信した変化量信号の示す値を減じることで、残り時間を更新していくようになっている。
なお、残り時間算出装置44は、受信した変化量信号の示す値が負の値の時は、結果として、残り時間に変化量信号の示す値を加算するようになっている。
【００５７】
また、残り時間算出装置44は、その時点での残り時間が予め設定された表示開始値まで下降するまで、ＬＥＤの消灯状態を維持し、残り時間の表示を行わず、残り時間が表示開始値まで下降したら、ＬＥＤを点灯して残り時間の表示を開始するようになっている。なお、残り時間カウンタ装置42は、一旦表示開始値まで下降した残り時間が表示開始値を上回る値まで上昇すると、ＬＥＤを消灯して計数値の表示を止めるようになっている。
以上のような本第２実施形態によっても前記第１実施形態と同様の作用・効果を奏することができる。
【００５８】
なお、本発明は、前記実施形態に限定されるものではなく、本発明の目的を達成できる範囲における変形及び改良などをも含むものである。
例えば、前記実施形態では、ＬＥＤ表示装置41を設けて、このＬＥＤ表示装置41に残り時間等を表示したが、残り時間等の表示手段は、これに限らず、スロットマシン１からＬＥＤ表示装置41を省略し、スロットマシン１の液晶表示装置4Eに残り時間等を表示してもよく、あるいは、残り時間等を示す信号をホールコンピュータへ送信し、このホールコンピュータに設けられている表示装置に残り時間等を表示させてもよい。
また、前記実施形態では、ＬＥＤ表示装置41をスロットマシン１に取り付けたが、ＬＥＤ表示装置41の設置位置はこれに限らず、ＬＥＤ表示装置41をスロットマシン１から分離し、ホールコンピュータの近傍に設置してもよい。
【００５９】
また、遊技機としては、スロットマシンに限らず遊技場やゲームセンター等に設置されるアーケードテレビゲーム機や、遊技球を遊技媒体として利用するパチンコ機でもよく、要するに、本発明は、電源装置への入力電圧が過電圧になるおそれがある環境で利用される遊技機に適用することができる。
【符号の説明】
【００６０】
1        遊技機としてのスロットマシン
10        遊技用装置としてのリールユニット
12        遊技用装置としてのホッパユニット
13        電源装置
30,30A    パラメータ生成手段としてのパラメータ生成装置
31        温度センサ
40,40A    損傷時間表示手段としての損傷時間表示装置
42        残り時間カウンタとしての残り時間カウンタ装置
50        入力電圧低減手段としての入力電圧低減装置
【図１】
2012135413.tif 000003
【図２】
2012135413.tif 000004
【図３】
2012135413.tif 000005
【図４】
2012135413.tif 000006
【図５】
2012135413.tif 000007
【図６】
2012135413.tif 000008
【図７】
2012135413.tif 000009
【図８】
2012135413.tif 000010